(57)【要約】【課題】  鼻の両脇に当ててフロント部を支える鼻当てパットを備えることなく、ツルにパットを取付けて頬骨に載って支持することが出来るメガネフレームの提供。【解決手段】  上記パット９は概略L型又はへ型として縦片１０と横片１１を有し、縦片１０は斜め下方及び後方へ、しかも内側へ延び、横片１１は縦片の先端に屈曲又は湾曲してフロント部側へ延び、そして材質を樹脂製とし、縦片基部をツル２にネジ止めして取付け、またツル２の先端部には該ツルを耳に係止した時に髪１９が係止することが出来る係止穴１６を内側から外側に貫通して設けている。【選択図】    図１
2020016719.tif 000002
【特許請求の範囲】
【請求項１】
フロント部を支える為に、ツルにパットを取付けたメガネやサングラスにおいて、上記パットは概略Ｌ型又はへ型として縦片と横片を有し、縦片は斜め下方及び後方へ、しかも内側へ延び、横片は縦片の先端に屈曲又は湾曲してフロント部側へ延び、そして材質を樹脂製とし、縦片基部をツルにネジ止めして取付け、またツルの先端部には該ツルを耳に係止した時に髪が係止することが出来る係止穴を内側から外側に貫通して設けたことをと特徴とするメガネフレーム。
【請求項２】
上記パットに弾性変形に優れた芯金を埋着した請求項１記載のメガネフレーム。
【請求項３】
メガネフレームのフロント部を支える為にパットを取付けたツルにおいて、ツルの先端部上縁に沿って設けた凸部に、内側から外側へ貫通する細長い係止穴を形成したことを特徴とするメガネフレームのツル。
【発明の詳細な説明】
【技術分野】
【０００１】
本発明は鼻当てパットを備えることなく、ツルにパットを取付け、該パットを頬骨に載せてフロント部を支持することが出来るメガネフレームに関するものである。及びパットを取付けたメガネフレームのツルに関するものである。
【背景技術】
【０００２】
図５は従来の一般的なメガネフレームを示している。メガネフレームはフロント部（イ）と２本のツル（ロ）、（ロ）から成り、ツル（ロ）、（ロ）はフロント部（イ）の両側に設けているヨロイ（ハ）、（ハ）に蝶番（ニ）、（ニ）などの継手を介して折畳み出来るように取付けられている。フロント部（イ）は連結部材（ホ）の両側にリム（ヘ）、（ヘ）が設けられ、リム（ヘ）、（ヘ）の外側には上記ヨロイ（ハ）、（ハ）をロウ付けしている。そして、リムの内側(中央側)には鼻当てパット（ト）、（ト）が取付けられている。
【０００３】
ところで、メガネを顔に掛ける場合には、鼻当てパット（ト）、（ト）を鼻の両脇に当てると共に、ツル（ロ）、（ロ）の先端部に挿着している樹脂製のモダン（チ）、（チ）が耳に係止される。鼻当てパット（ト）、（ト）を介してフロント部（イ）は鼻で支えられるが、長時間にわたってメガネを着用しているならば、鼻当てパット（ト）、（ト）が当っている鼻の両脇が赤く変色し、化粧が剥がれる。従って、メガネを外した際には化粧が剥がれて赤くなった鼻両脇が目立ち、特に若い女性にとっては大きな問題となる。
【０００４】
近年のメガネフレームはバネ製に優れた軽い材質としてチタン材が多用され、又レンズもプラスチックレンズが用いられることで、フロント部が非常に軽くなっている。ステンレス材を使用したメガネフレームにガラスレンズを嵌めた昔のメガネに比較すれば非常に軽い。しかし、鼻当てパットにてフロント部を支えることは必要であり、その為に鼻両脇の化粧の剥がれ落ちを避けることは出来ない。  鼻当てパットの材質を軟らかいシリコン樹脂で構成している場合もあるが、赤い変色や化粧の剥がれを完全に防止することは出来ない。
【０００５】
従来、ツルの内側にパットを取付け、該パットを顔のコメカミ部分に当てることでフロント部を支えるように構成したメガネフレームが知られている。しかし、ツルの内側に取付けたパットをコメカミ部分に押し当てても、滑り落ちる為にフロント部を完全に支持することが出来ない場合もある。
しかし、パットをコメカミ部に強く押圧するならば、コメカミが痛く成ってメガネを長時間掛けることは出来ない。
一方、フロント部に鼻当てパットが無いメガネフレームでは、該フロント部が降下することで、リムの下縁又はレンズの下縁が顔の頬に接してしまい、メガネを外した場合には頬に跡が残ってしまうという問題もある。
【０００６】
特開２００８−２０６７８号に係る「メガネフレーム」は、鼻の両脇に当ててフロント部を支える鼻当てパットを備えないメガネフレームであり、ツルからアームを斜め下方へ延ばし、該アーム先端にはパットを取付け、該パットが顔の頬骨に当ってフロント部を支えるようにしている。そして、パットはその向きを変えることが出来る構造としている為に、頬骨の位置や形状に違いがあってもパットはフィットできる構造となっている。
【０００７】
図６はツル（ロ）にパット（リ）を取付けた従来の具体例である。ツル（ロ）には基板（ヌ）がネジ止めされ、この基板（ヌ）にアーム（ル）が固定され、基板（ヌ）から延びるアーム（ル）の先端には上記パット（リ）を取付けている。該パット（リ）は円盤状であり、円盤状パット（リ）は頬骨に載置されるが、コメカミ部に当たって押圧する。
アーム（ル）はバネ性の金属線であり、その為に、パット（リ）に作用する押圧力はアーム（ル）の撓み変形に基づき、該コメカミ部に痛みを感じる。
【０００８】
ところで、従来のメガネフレームではツル（ロ）に取付けたパット（リ）が顔のコメカミ部に当たることで、該パット（リ）に作用する押圧力の反力によってツル（ロ）が撓み、その為に耳に係止するツル先端部のモダンが後頭部から浮き上がり、ツルの安定性が損なわれる。すなわち、両パット（リ）だけでメガネフレームを支えるようになり、パット（リ）を中心として揺動し、フロント部が降下すると共にツル先端部は上昇し、メガネフレームは前屈み状態となる。その為に、リムの下縁又はレンズの下縁が頬に当たってしまい、メガネを外すと頬に跡が残ってしまう。
【特許文献１】特開２００８−２０６７８号に係る「メガネフレーム」
【発明の開示】
【発明が解決しようとする課題】
【０００９】
このように、フロント部に鼻当てパットを取付けたメガネフレーム、そして鼻当てパットを備えることなくツルにパットを取付けたメガネフレームには上記のごとき問題がある。
本発明が解決しようとする課題はこの問題点であり、ツルに取付けたパットが位置ズレすることなく頬骨に載置され、またツル先端部が浮上しないように安定して掛けることが出来るメガネフレーム、及びパットを備えたメガネフレームのツルを提供する。
【課題を解決するための手段】
【００１０】
本発明に係るメガネフレームは、フロント部に鼻当てパットを備えておらず、ツルにはパットを取付けている。該パットは顔の頬骨に載せてフロント部を支える為に、ツルのフロント部側に取付けられ、しかもツル先端部には内側から外側にかけて貫通した係止穴を設けている。
そこで、ツル基部側のパットとツル先端部側の係止穴とで顔に掛けたメガネフレームが安定して支えられるように成っている。
【００１１】
本発明のパットは円板型や楕円型ではなく概略Ｌ型又は概略ヘ型をなして縦片と横片を有し、該パットはツルの継手側に取付けられている。ツルから縦片が斜め後方内側を向いて下方へ延び、縦片の下端には横片が屈曲又は湾曲してツル継手側（フロント部側）へ延びている。そこで、横片は撓み易くてその先端はツル継手のほぼ下方に位置している。
【００１２】
概略Ｌ型又は概略ヘ型をした本発明のパットは軟質樹脂製とし、しかも内部には芯金が埋着されていて、縦芯の上端はツル側に固定されることでパットはツルに取付けられている。縦芯が捩れるならばパットの横片はその向きを変えることが出来、また縦芯が曲がることで横片の位置が変わる。メガネを顔に着用した場合、パットの横片は頬骨の上に載置され、しかも頬骨に正しく載るようにその位置が変わり、向きを変えるように機能する。
そして、ツル自体も軟質樹脂製とし、頭部側面に密着するように成っている。また、ツル先端部の係止穴はツルに沿って長手方向に延びる細長い形状としており、一般的にはツル先端部の上縁に沿って設けられる。
【発明の効果】
【００１３】
本発明に係るメガネフレームは、ツルに取付けたパットが顔の頬骨に載ってフロント部が支えられる。したがって、従来のメガネフレームのように鼻当てパットが当って鼻の両脇が赤く変色することがなく、又鼻の両脇の化粧が剥がれることもない。また、パットはコメカミに当たって押圧しない為にコメカミの痛みはなく、長時間にわたってメガネを着用することが出来る。
【００１４】
そして、本発明のパットは概略Ｌ型又は概略ヘ型を成して縦片と横片を有しており、縦片はツルから斜め下方後方へ延びると共に内側へ傾斜していて、横片は縦片の下端に屈曲又は湾曲して前方（継手側）へ延びている為に、フロント部を支え易く成っている。そして、該横片は頬骨の上に載ることが出来、フロント部に鼻当てパットが無くても着用したメガネは安定する。
【００１５】
ツルの基部側は外方向へ滑らかに湾曲突出し、この突出した領域に上記パットが配置され、その為に、パットはツルに当たることなく撓み変形することが出来る。
さらに、ツル先端部に設けた係止穴にはメガネを着用することで、短い髪が嵌って係止する。したがって、ツルはパットを中心として揺動して先端部が浮上することが防止される。
【図面の簡単な説明】
【００１６】
【図１】本発明に係るメガネフレーム（サングラス）を示す実施例で、（ａ）は平面図、（ｂ）は側面図。
【図２】本発明に係るメガネフレーム（サングラス）を示す斜視図。
【図３】パットの取付け構造を示す具体例。
【図４】ツル先端部が耳に係止して髪が係止穴に嵌っている場合。
【図５】従来の一般的なメガネフレーム。
【図６】パットを取付けたツルの具体例。
【発明を実施するための形態】
【００１７】
図１は本発明に係るメガネフレームの１形態であるサングラスを示す実施例で、図１（ａ）は平面図、図１（ｂ）は側面図をそれぞれ表している。また図２は斜視図であり、同図の１はフロント部、２はツルを示し、ツル２，２はフロント部１の両側に継手１２，１２を介して折畳み出来るように取付けられている。同図に示すサングラスは樹脂製であり、フロント部１を構成するレンズ３の両側にはヨロイ４，４が取着されている。ヨロイ４は基部８から二股に分かれて延びる上片６と下片７を形成し、レンズ３の側部は該上片６と下片７に形成した溝に嵌って固定されている。
【００１８】
そして、該ヨロイ４，４には上記ツル２，２が継手１２，１２を介して折畳み出来るように連結している。レンズ３は該サングラスを掛けた際に鼻に当たらないように中央部下側には切欠き部５を有している。
ここで、同図に示すレンズ３の形状はあくまでも１具体例に過ぎず、例えば中央部に連結部材を設けて両レンズを繋ぐように構成することも可能である。また、上記ヨロイ４の形態に関しても特に限定しない。
【００１９】
ところで、ツル２の継手側にはパット９が取付けられている。該パット９は縦片１０と横片１１を有し、縦片１０の基部はツル２にネジ止めされ、縦片１０の下端から屈曲して上記横片１１が継手側（フロント部側）へ延びている。
上記縦片１０は斜め下方及び後方を向いて延び、しかも内側に向いている。したがって、縦片１０の先端に屈曲して設けられる横片１１は図１（ａ）に示しているように、ツル２の内側に配置されている。
【００２０】
ヨロイ４の先端に継手１２を介して連結しているツル２は、外方向へ滑らかに湾曲して膨出する突出部１３をフロント部側に形成している。突出部１３の後端部にて内側へ湾曲しているが、パット９はこの突出部１３の領域に配置される。
図１（ａ）に示す平面図において、横片１１の位置は突出部１３の下側であるが、その内面１４は突出部後方のツル内面１５に連続する同一面に配置される。
【００２１】
サングラスを掛ける場合、横片１１は頬骨の上に載置されてフロント部１を支える。ここで、パット９の横片１１がコメカミ部に当たって変形し、また縦片１０は横片１１の変形に追従して捩り変形及び撓み変形するが、ツル２を外方向へ押圧することはなく、ツル内面１５が頭部側面から離れることはない。軟質樹脂で構成されるパット９はツル２を変形させることなく、横片１１はコメカミ部に接して頬骨に載置する。
【００２２】
図３はパット９の取付け構造を表している具体例であり、概略Ｌ型のパット９には同じ形状の芯金２０を埋着している。
該芯金２０には一般にβチタンが用いられ、曲げ変形並びに捩れ変形に優れている為に、パット９は自由に撓み変形することが出来る。勿論、芯金２０の材質をβチタンに限定するものではない。
このようにツル２に取付けたパット９，９の横片１１，１１は、顔にサングラスを掛ける場合、顔の頬骨に載置される。そして、パット９，９は芯金２０，２０が変形することで該コメカミ部に正しくフィットすることが出来る。
【００２３】
一方、本発明のツル２はその先端部に係止穴１６を貫通して設けている。すなわち、ツル先端部の上縁には凸部１７を突出して設け、この凸部１７に上記係止穴１６を形成している。該係止穴１６はツル上縁に沿って長手方向に延びる細長い穴であり、この係止穴１６に髪が嵌って係止する。
図４はサングラスを着用してツル２が耳１８に係止している場合を表わしている。図４（ａ）は耳１８の正面から見た状態を、図４（ｂ）は耳１８の斜め前から見た状態である。
【００２４】
同図に示しているように、ツル２は耳１８に係止すると共に、係止穴１６には髪１９が係止することが出来る。女性の長い髪は係止穴１６に係止しにくいが、短い髪１９であれば、係止穴１６に嵌って係止し、その結果、ツル２の先端部は浮上しにくくなる。
フロント部１を鼻当てパットにて直接支える場合は、ツル２の先端部が浮上することはないが、ツル２に取付けたパット９を頬骨に載せて支持する本発明では、フロント部１がパット９を中心として回転降下するならば、ツル２の先端部は浮上することになる。本発明は、このツル先端部の浮上を防止することが出来る。
【符号の説明】
【００２５】
１  フロント部
２  ツル
３  レンズ
４  ヨロイ
５  切欠き部
６  上片
７  下片
８  基部
９  パット
10  縦片
11  横片
12  継手
13  突出部
14  内面
15  ツル内面
16  係止穴
17  凸部
18  耳
19  髪
20  芯金
【図１】
2020016719.tif 000003
【図２】
2020016719.tif 000004
【図３】
2020016719.tif 000005
【図４】
2020016719.tif 000006
【図５】
2020016719.tif 000007
【図６】
2020016719.tif 000008